(57)【要約】【課題】高精細度パネルであっても、バス電極、接続線、電極端子の剥離や劣化の発生しにくいプラズマディスプレイパネルを提供する。【解決手段】走査電極２２および維持電極２３からなる表示電極対を複数形成した前面板２０と、この前面板２０に対向配置されかつ表示電極対と交差する方向にデータ電極３２を複数形成した背面板３０と、前面板２０と背面板３０との周辺部を封着する封着部材４０とを有し、走査電極２２および維持電極２３は黒色層２２ｃ、２３ｃと導電層２２ｄ、２３ｄからなるバス電極２２ｂ、２３ｂを有し、かつバス電極２２ｂ、２３ｂの黒色層２２ｃ、２３ｃと導電層２２ｄ、２３ｄは封着部材４０内の位置まで引き出すとともに、導電層２２ｄ、２３ｄは封着部材４０の外側の位置まで延長して引き出して電極端子５０としたことを特徴とする。【選択図】図３
2008059891.tif 000002
【特許請求の範囲】
【請求項１】
走査電極および維持電極からなる表示電極対を複数形成した前面板と、この前面板に対向配置されかつ前記表示電極対と交差する方向にデータ電極を複数形成した背面板と、前記前面板と背面板との周辺部を封着する封着部材とを有し、前記走査電極および維持電極は下層と上層からなる導電性電極を有し、かつ前記導電性電極の下層および上層は前記封着部材内の位置まで引き出すとともに、前記導電性電極の上層は前記封着部材の外側の位置まで延長して引き出して電極端子としたことを特徴とするプラズマディスプレイパネル。
【請求項２】
前記前面板は走査電極および維持電極を覆うように形成した誘電体層を有し、かつ前記誘電体層の端部は前記封着部材内に位置するように形成したことを特徴とする請求項１に記載のプラズマディスプレイパネル。
【請求項３】
前記前面板は封着部材の外側の位置にアライメントマークを有し、かつ前記アライメントマークは導電性電極の上層を形成する材料により形成したことを特徴とする請求項１に記載のプラズマディスプレイパネル。
【発明の詳細な説明】
【技術分野】
【０００１】
本発明は、表示デバイス等に用いるＡＣ型のプラズマディスプレイパネルに関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対がガラス製の前面基板上に互いに平行に複数対形成され、それら表示電極対を覆うように誘電体層および保護層が形成されている。背面板は、ガラス製の背面基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には放電ガスが封入されている。ここで表示電極対とデータ電極とが対向する部分に放電セルが形成される。このような構成のパネルにおいて、各放電セル内でガス放電により紫外線を発生させ、この紫外線で赤、緑、青各色の蛍光体を励起発光させてカラー表示を行っている。
【０００３】
表示電極対は、例えば透明電極と導電性電極であるバス電極とを備えている。そしてバス電極は、黒色の酸化ルテニウム等を含み、パネルを表示面側から見たときに表示電極対を黒く見せるための下層としての黒色層と、導電性の高いＡｇ等を主成分とし表示電極対の抵抗値を下げる役割を果たす上層としての導電層とを積層して形成されている。
【０００４】
上記バス電極は、まず前面基板に酸化ルテニウム等を含む感光性材料を塗布して黒色層を形成する。次に、黒色層の上にＡｇ等を含む感光性材料を塗布し導電層を形成する。そして露光マスクを用いて露光、現像して、パターンニングを行う。その後、焼成して、黒色層に導電層が積層されたバス電極を形成する。
【０００５】
しかしながら、上記の焼成時またはその後の工程で、バス電極とガラス基板との間で剥離を起こす等の劣化を発生することがあった。このような劣化を防ぐ方法として、膜厚が５μｍ以下となる部分を電極端子に形成して剥離を抑える方法が開示されている（例えば、特許文献１参照）。
【特許文献１】特開２００３−６８２１６号公報
【発明の開示】
【発明が解決しようとする課題】
【０００６】
しかしながら、パネルの高精細度化が進むにつれて表示電極対の数が増加し、それにともないバス電極および外部に引き出した電極端子部分も細くなり、ガラス基板との接着面積も狭くなって剥離や劣化が発生しやすくなってきている。
【０００７】
本発明はこれらの課題に鑑みなされたものであり、高精細度パネルであっても、電極の剥離や劣化の発生しにくいパネルを提供することを目的とする。
【課題を解決するための手段】
【０００８】
この課題を解決するために本発明は、走査電極および維持電極からなる表示電極対を複数形成した前面板と、この前面板に対向配置されかつ表示電極対と交差する方向にデータ電極を複数形成した背面板と、前面板と背面板との周辺部を封着する封着部材とを有し、走査電極および維持電極は下層と上層からなる導電性電極を有し、かつ導電性電極の下層および上層は封着部材内の位置まで引き出すとともに、導電性電極の上層は封着部材の外側の位置まで延長して引き出して電極端子としたことを特徴とする。この構成により、高精細度パネルであっても、電極の剥離や劣化の発生しにくいパネルを提供することができる。
【０００９】
また、本発明において、前面板は走査電極および維持電極を覆うように形成した誘電体層を有し、かつ前記誘電体層の端部は封着部材内に位置するように形成することにより、誘電体層の剥離のおそれがなくなる。
【００１０】
また、本発明において、前面板は封着部材の外側の位置にアライメントマークを有し、かつ前記アライメントマークは導電性電極の上層を形成する材料により形成したことにより、黒色層となる下層の印刷用マスクを小さく設計することができる。
【発明の効果】
【００１１】
本発明によれば、高精細度パネルであっても、電極の剥離や劣化の発生しにくいパネルを提供することが可能となる。
【発明を実施するための最良の形態】
【００１２】
以下、本発明の実施の形態におけるパネルについて、図面を用いて説明する。
【００１３】
図１は本発明の実施の形態におけるパネルの構造を示す分解斜視図である。パネル１０は、対向配置された前面板２０と背面板３０とにより構成され、この前面板２０と背面板３０を対向配置し、周辺部を封着部材（図示せず）により封着することにより構成されており、多数の放電セルが形成されている。
【００１４】
前面板２０は、１対の走査電極２２と維持電極２３とからなる表示電極対２８がガラス製の前面基板２１上に互いに平行に複数対形成され、それら表示電極対２８を覆うように誘電体層２４および保護層２５が形成されている。走査電極２２は、透明電極２２ａと導電性電極であるバス電極２２ｂとを有する。維持電極２３も同様に、透明電極２３ａとバス電極２３ｂとを有する。
【００１５】
透明電極２２ａ、２３ａは、前面基板２１上にＩＴＯ、ＳｎＯ２、ＺｎＯ等の導電性金属酸化物を帯状に形成したものである。バス電極２２ｂは、下層としての黒色層２２ｃと上層としての導電層２２ｄとを積層して形成され、バス電極２３ｂも同様に黒色層２３ｃと導電層２３ｄとを積層して形成されている。黒色層２２ｃ、２３ｃは、酸化ルテニウムを主成分とする黒色の材料を上述の透明電極２２ａ、２３ａのそれぞれの上にその透明電極よりも幅を狭く積層して形成したものである。そして導電層２２ｄ、２３ｄは、黒色層２２ｃ、２３ｃのさらにその上にＡｇを含む導電性の材料を積層して形成したものである。
【００１６】
背面板３０は、ガラス製の背面基板３１上に複数の平行なデータ電極３２が形成されている。このデータ電極３２は、Ａｇを主成分とする導電性材料で形成されている。そして、データ電極３２を覆うように誘電体層３３と、さらにその上に井桁状の隔壁３４とがそれぞれ形成され、誘電体層３３の表面と隔壁３４の側面とに赤、緑、青各色の蛍光体層３５が形成されている。
【００１７】
そして、表示電極対２８とデータ電極３２とが立体交差するように前面板２０と背面板３０とが対向配置され、表示電極対２８とデータ電極３２とが対向する部分に放電セルが形成される。放電セルが形成された画像表示領域の外側の位置で、前面板２０と背面板３０とは低融点ガラスを用いて封着され、内部の放電空間には放電ガスが封入されている。
【００１８】
図２は本発明の実施の形態におけるパネル１０の電極配列図である。行方向に長いｎ本の走査電極２２およびｎ本の維持電極２３が配列され、列方向に長いｍ本のデータ電極３２が配列されている。そして、１対の走査電極２２および維持電極２３と１つのデータ電極３２とが交差した部分に放電セルが形成され、ｍ×ｎ個の放電セルが画像表示領域を形成する。
【００１９】
図３（ａ）は、本発明の実施の形態におけるパネル１０において、走査電極を外部に引き出した側の構成を示す断面図、図３（ｂ）は、同じく維持電極を外部に引き出した側の構成を示す断面図である。図４は、本発明の実施の形態における前面板２０の各構成要素の配置関係を示す平面図である。図３（ａ）、（ｂ）および図４において、４０は低融点ガラスからなる封着部材である。
【００２０】
図３（ａ）、（ｂ）および図４に示すように、走査電極２２は上述したように、透明電極２２ａと導電性電極であるバス電極２２ｂとから構成され、バス電極２２ｂは下層の黒色層２２ｃと上層の導電層２２ｄとを積層して構成されている。また、維持電極２３は上述したように、透明電極２３ａと導電性電極であるバス電極２３ｂとから構成され、バス電極２３ｂは下層の黒色層２３ｃと上層の導電層２３ｄとを積層して構成されている。
【００２１】
そして、前記導電性電極であるバス電極２２ｂ、２３ｂの黒色層２２ｃ、２３ｃと導電層２２ｄ、２３ｄは、積層状態で前記封着部材４０内の位置まで引き出されるとともに、前記上層の導電層２２ｄ、２３ｄのみがその位置から前記封着部材４０の外側の位置まで延長して引き出されている。この上層の導電層２２ｄ、２３ｄにおいて、封着部材４０の外側の位置まで延長して引き出された部分は、外部の駆動回路と接続するためのフレキシブル配線板などが接続される電極端子５０として構成されている。
【００２２】
また、前面板２０において、走査電極２２および維持電極２３を覆うように形成した誘電体層２４は、その端部２４ａが前記封着部材４０内に位置するように形成されている。
【００２３】
このようにバス電極２２ｂ、２３ｂの黒色層２２ｃ、２３ｃと導電層２２ｄ、２３ｄは、積層状態で前記封着部材４０内の位置まで引き出し、上層の導電層２２ｄ、２３ｄのみをその位置から前記封着部材４０の外側の位置まで延長して引き出すことにより、電極端子５０を構成しているため、Ａｇを含む導電層２２ｄ、２３ｄが直接ガラス製の前面基板２１上に形成され、剥離の発生しやすい黒色層２２ｃ、２３ｃの境界部分が封着部材４０内に位置する構成となり、封着時に封着部材４０で固定されるため、バス電極２２、２３の剥離のおそれがなくなる。
【００２４】
また本実施の形態においては、図３に示したように、前面基板２１上に形成された表示電極対２８を覆う誘電体層２４の境界も封着部材４０内に位置するように構成されているため、誘電体層２４の境界部分も封着部材４０で封着時に固定され、誘電体層２４そのものの剥離のおそれもなくなる。
【００２５】
さらに、本発明において、前面板２０の封着部材４０の外側の位置には、アライメントマーク６１、６２、６３が形成され、しかも前記アライメントマーク６１、６２、６３は、導電性電極であるバス電極２２ｂ、２３ｂの上層の導電層２２ｄ、２３ｄを形成する材料により形成しており、Ａｇからなる導電層２２ｄ、２３ｄを形成する際に、パネル１０の製造工程で必要となるアライメントマーク６１、６２、６３を同時に形成することができる。
【００２６】
なお、ここで、アライメントマーク６１は背面板３０との位置合わせを行うものであり、例えば前面板２０の四隅にも十字形状に形成されている。またアライメントマーク６２、６３は、走査電極および維持電極の電極端子５０にフレキシブル配線板を接続する際の位置合わせを行うものである。
【００２７】
このように導電層２２ｄ、２３ｄを形成する際に、パネル１０の製造工程で必要となるアライメントマーク６１、６２、６３を同時に形成することにより、アライメントマーク印刷用マスクを導電層を形成する印刷用マスクと共用化することができる。また、黒色層を形成する印刷用マスクにはアライメントマークのためのパターンを設ける必要がないので、その分、印刷用マスクを小さく設計することができる。
【産業上の利用可能性】
【００２８】
本発明は、高精細度パネルであっても、バス電極や電極端子の剥離や劣化を発生しにくくすることができるものであり、表示デバイス等に用いるＡＣ型のプラズマディスプレイパネルとして有用である。
【図面の簡単な説明】
【００２９】
【図１】本発明の実施の形態におけるパネルの構造を示す分解斜視図
【図２】同パネルの電極配列図
【図３】同パネルの走査電極側および維持電極側の引き出し構造を示す断面図
【図４】同パネルの前面板の表示電極対、電極端子、接続線および封着位置の関係を示す模式図
【符号の説明】
【００３０】
１０    パネル
２０    前面板
２１    前面基板
２２    走査電極
２２ａ，２３ａ    透明電極
２２ｂ，２３ｂ    バス電極
２２ｃ，２３ｃ    黒色層
２２ｄ，２３ｄ    導電層
２３    維持電極
２４    誘電体層
２５    保護層
２８    表示電極対
３０    背面板
３１    背面基板
３２    データ電極
３４    隔壁
３５    蛍光体層
４０    封着部材
５０    電極端子
６１，６２，６３    アライメントマーク
【図１】
2008059891.tif 000003
【図２】
2008059891.tif 000004
【図３】
2008059891.tif 000005
【図４】
2008059891.tif 000006